(57)【要約】【課題】パチンコ遊技機において、スピーカの振動によりガラス板とガラス板保持フレームとの間で発生するビビリ音を抑制する。【解決手段】パチンコ遊技機１の前面枠に取り付けられるパチンコ遊技機用ガラス枠１０であって、ガラス板２０ａ，２０ｂが嵌め込み可能なガラス板嵌込溝２１ａ，２１ｂを内周辺に備えた枠体であるガラス板保持フレーム１２と、ガラス板嵌込溝２１ａ，２１ｂのガラス板２０ａ，２０ｂとの接触部分に被覆されたエラストマ製の被覆膜２３とを有するパチンコ遊技機用ガラス枠１０とする。【選択図】        図５
2004283278.tif 000002
【特許請求の範囲】
【請求項１】
弾球遊技機の前面枠に取り付けられる弾球遊技機用ガラス枠であって、
ガラス板が嵌め込み可能なガラス板嵌込溝を内周辺に備えた枠体であるガラス板保持フレームと、
前記ガラス板嵌込溝の前記ガラス板との接触部分に被覆されたエラストマ製の被覆膜と、を有することを特徴とする弾球遊技機用ガラス枠。
【請求項２】
弾球遊技機の前面枠に取り付けられる弾球遊技機用ガラス枠であって、
ガラス板が嵌め込み可能なガラス板嵌込溝を内周辺に備えた枠体であるガラス板保持フレームと、
前記ガラス板嵌込溝との接触部分にエラストマ製の被覆膜が被覆されて前記ガラス板保持フレームに保持されたガラス板と、を有することを特徴とする弾球遊技機用ガラス枠。
【請求項３】
請求項１または２記載の弾球遊技機用ガラス枠が装着されていることを特徴とする弾球遊技機。
【発明の詳細な説明】
【０００１】
【発明の属する技術分野】
本発明は弾球遊技機用ガラス枠およびそれが装着された弾球遊技機に関するものである。
【０００２】
【従来の技術】
弾球遊技機の一種であるパチンコ遊技機においては、遊技に関する複数の特別図柄を表示してこれを変更する表示装置（表示手段）が備えられており、複数の特別図柄を変動させてそれらが停止したときの複数の特別図柄の停止態様によって、遊技状態が大当り状態に移行する。
【０００３】
すなわち、特別図柄を変動させると、遊技機は、リーチ演出においてたとえば３つの特別図柄を順次停止させ、３つの特別図柄が最終的に所定の停止態様（一般には、３つの特別図柄が相互に全て同一の図柄となった停止態様）になったとき、遊技状態が大当り状態に移行することを表示する。
【０００４】
なお、リーチ演出とは、遊技状態がリーチ状態であるときに実行される演出をいい、リーチ状態とは、既に停止した特別図柄が大当たり状態となる条件を満たし、最終的に停止する残りの１または複数の特別図柄の停止態様によっては大当り状態を表示する可能性がある状態のことをいう。
【０００５】
ここで、遊技機では、通常の遊技状態において、さらには特にリーチ演出時において、音声により遊技者の興趣を高めるために、スピーカが設置されているものがある。そして、遊技機のスピーカからの音は、遊技状態にある多数の遊技機から発せられる騒音にかき消されることなく遊技者の耳に届くように、比較的大きな音量に設定されている。
【０００６】
また、遊技場であるホールには、遊技者に種々の案内をするためにスピーカが設置されており、ここでのスピーカからの音も、確実に遊技者の耳に届くように比較的大きな音量に設定されている。
【０００７】
このような遊技機に設置されたスピーカあるいはホールに設置されたスピーカの振動によりガラス板保持フレームを介してガラス板が微小振動し、ガラス板保持フレームとの間でいわゆるビビリ音が発生する。
【０００８】
ここで、例えば特許第２５５６６６２号公報には、前カバーを合成樹脂にて構成し、金属製に換えて合成樹脂製のガラス板保持フレームに金属メッキを施したパチンコ遊技機用ガラス枠が開示されている。そして、このような構成により、樹脂化によるコストダウンを図りつつ、焼いた針金で前面より穴をあける等の不正行為を防止することができるとされている。
【０００９】
【特許文献１】
特許第２５５６６６２号公報
【００１０】
【発明が解決しようとする課題】
しかしながら、前述した公報に記載の技術は、コストダウンや不正行為防止には有効ではあるが、スピーカの振動に起因するガラス板のビビリに対する考慮はなされていない。
【００１１】
そこで、本発明は、スピーカの振動によりガラス板保持フレームに保持されているガラス板が振動してガラス板保持フレームとの間で発生するビビリ音を抑制することのできる技術を提供することを目的とする。
【００１２】
【課題を解決するための手段】
上記課題を解決するため、本発明に係る弾球遊技機用ガラス枠は、弾球遊技機の前面枠に取り付けられる弾球遊技機用ガラス枠であって、ガラス板が嵌め込み可能なガラス板嵌込溝を内周辺に備えた枠体であるガラス板保持フレームと、前記ガラス板嵌込溝の前記ガラス板との接触部分に被覆されたエラストマ製の被覆膜と、を有することを特徴とする。
【００１３】
このような発明によれば、スピーカの振動によりガラス板保持フレームが振動しても、その振動は被覆膜で大幅に吸収されてガラス板には直接伝わらないので、スピーカの振動によりガラス板とガラス板保持フレームとの間で発生するビビリ音を抑制することが可能になる。
【００１４】
また、上記課題を解決するため、本発明に係る弾球遊技機用ガラス枠は、弾球遊技機の前面枠に取り付けられる弾球遊技機用ガラス枠であって、ガラス板が嵌め込み可能なガラス板嵌込溝を内周辺に備えた枠体であるガラス板保持フレームと、前記ガラス板嵌込溝との接触部分にエラストマ製の被覆膜が被覆されて前記ガラス板保持フレームに保持されたガラス板と、を有することを特徴とする。
【００１５】
このような発明によれば、スピーカの振動によりガラス板保持フレームが振動しても、その振動は被覆膜で大幅に吸収されてガラス板には直接伝わらないので、スピーカの振動によりガラス板とガラス板保持フレームとの間で発生するビビリ音を抑制することが可能になる。
【００１６】
そして、上記課題を解決するため、本発明に係る弾球遊技機は、前述した弾球遊技機用ガラス枠が装着されていることを特徴とする。
【００１７】
このような発明によれば、弾球遊技機から発生するガラス板のビビリ音という不快な音が大幅に減少され、遊技者にとっての遊技の快適感を向上させることが可能になる。
【００１８】
【発明の実施の形態】
以下、本発明の実施の形態を、図面を参照しつつさらに具体的に説明する。ここで、添付図面において同一の部材には同一の符号を付しており、また、重複した説明は省略されている。なお、発明の実施の形態は、本発明が実施される特に有用な形態としてのものであり、本発明がその実施の形態に限定されるものではない。
【００１９】
図１は本発明の一実施の形態であるパチンコ遊技機用ガラス枠が用いられたパチンコ遊技機を示す斜視図、図２は図１のパチンコ遊技機ににおける特別図柄の変動態様の一例を示す説明図、図３は本発明の一実施の形態であるパチンコ遊技機用ガラス枠を示す正面図、図４は図３のパチンコ遊技機用ガラス枠の分解斜視図、図５は図３のパチンコ遊技機用ガラス枠のＡ−Ａ線に沿った断面図である。
【００２０】
図１に示すパチンコ遊技機（弾球遊技機）１は、本体枠２に前面枠３が開閉可能に取り付けられている。前面枠３には透明な２枚のガラス板２０ａ，２０ｂが取り付けられており、その裏面側には遊技盤５がこのガラス板２０ａ，２０ｂを通して視認可能に装着されている。そして、遊技盤５の前面枠３に包囲された領域として、多数の遊技くぎや入賞口、風車等が配置され、打ち込まれた遊技球が流下する遊技領域５ａがある。なお、ガラス板は２枚でなくてもよく、例えば１枚あるいは３枚以上であってもよい。
【００２１】
遊技盤５の下方には、払い出された遊技球および遊技領域５ａに打ち込まれる遊技球が貯留される上皿６ａが配置され、上皿６ａの下方には、払い出しにより上皿６ａからオーバーフローした遊技球が貯留される下皿６ｂが配置されている。また、上皿６ａの下方右側には、レールを介して遊技盤５の遊技領域５ａへ遊技球を打ち込む際に回動操作されるハンドル７が設けられている。
【００２２】
また、遊技領域５ａの周囲に位置する前面枠３には、その上部の左右にスピーカ８ａ，８ｂがそれぞれ配置されている。
【００２３】
遊技盤５には、後方に配置された例えば液晶ディスプレイ、ＣＲＴ（陰極線管）あるいはプラズマディスプレイ等からなり、画像信号入力に基づいて任意の画像を表示する特別図柄表示部９が、遊技盤５に開口された孔を介して視認可能に配置されている。この特別図柄表示部９は遊技盤５の盤面中央で視認されるように配置されており、図２に示すように、左図柄Ｎ１、中図柄Ｎ２および右図柄Ｎ３からなる３列の複数の特別図柄が表示され、また、これら特別図柄の背後に背景画が表示される。特別図柄は予め定められた数字や絵柄やマークなどで構成され、画面上で上下方向（他の方向でもよい）に移動するよう変動表示されるとともに、所定の停止態様で停止させるようになっている。
【００２４】
具体的には、図２に示す特別図柄Ｎ１〜Ｎ３において、例えば図２（ａ）に示すような変動開始前の停止態様から図２（ｂ）に示すように変動が開始され、所定時間が経過すると、例えば図２（ｃ）〜図２（ｅ）に示すように、左図柄Ｎ１、右図柄Ｎ３、中図柄Ｎ２の順に異なるタイミングで特別図柄Ｎ１〜Ｎ３が停止されるようになっており、例えば、特別図柄Ｎ１〜Ｎ３の停止図柄の組合せが特定の賞態様（例えば図２（ｅ）に示す７、７、７のような同一図柄が揃う組合せ）となったとき、通常遊技と比較して遊技者に有利な特別遊技の状態、すなわち大当り状態となる。
【００２５】
特別図柄表示部９の上方には、普通図柄表示部が左側に２つ併設されており、この普通図柄表示部に隣接して４つの普通始動入賞個数表示部が中央部に設けられている。また、特別図柄表示部９の下側には４つの特別始動入賞個数表示部が設けられている（いずれも図示せず）。
【００２６】
次に、本実施の形態におけるパチンコ遊技機１のガラス枠について説明する。
【００２７】
パチンコ遊技機１の前面枠３には、図３に示すようなパチンコ遊技機用ガラス枠（弾球遊技機用ガラス枠）１０が開閉可能に取り付けられている。このパチンコ遊技機用ガラス枠１０は、枠体である前カバー１１と、この前カバー１１の背面に取り付けられ、前カバー１１によって隠蔽される枠体であるガラス板保持フレーム１２とから構成されている。なお、前カバー１１およびガラス板保持フレーム１２は金属製であっても、樹脂製であってもよい。
【００２８】
図４において、前カバー１１の一方の側辺部１１ａの上側にはバネ力により上方向に付勢されたピン１３が突出して設けられ、同じ側辺部の下側には前面枠３に設けられたピン（図示せず）が挿通されるピン孔１４が設けられている。そして、これらのピン１３およびピン孔１４が前面枠３のピン孔およびピンと嵌合することにより、パチンコ遊技機用ガラス枠１０は前面枠３に開閉可能に保持される。なお、前カバー１１のピン１３およびピン孔１４が設けられた側辺部には、その前面にプレート１５が取り付けられている。
【００２９】
前カバー１１の裏面には、ガラス板保持フレーム１２の方向に突出した位置決めピン１６が所定間隔をあけて多数設けられており、ガラス板保持フレーム１２にはこれに対応した位置決め孔１７が形成されている。したがって、前カバー１１の位置決めピン１６をガラス板保持フレーム１２の位置決め孔１７に嵌め込むことにより、前カバー１１とガラス板保持フレーム１２とが位置決め結合される。
【００３０】
ガラス板保持フレーム１２の裏面には、前カバー１１の反対方向へ所定長突出した壁部１８が、側辺部１２ａから下辺部１２ｂ、側辺部１２ｃにかけて連続して形成されている。壁部１８の内周部には、内側に所定長突出した保持壁１９ａ，１９ｂが前後方向の２カ所に形成されている。このような構造により、ガラス板保持フレーム１２の内周辺には、２枚のガラス板２０ａ，２０ｂが嵌め込まれる２つのガラス板嵌込溝２１ａ，２１ｂが前後方向に形成されている。
【００３１】
これにより、ガラス板保持フレーム１２の上方向からガラス板２０ａ，２０ｂをそれぞれ側辺部１２ａ，１２ｃに位置するガラス板嵌込溝２１ａ，２１ｂに嵌め込み、これを下降させて下辺部１２ｂに位置するガラス板嵌込溝２１ａ，２１ｂに嵌め込むことにより、ガラス板２０ａ，２０ｂがガラス板保持フレーム１２に保持される。そして、このようにガラス板２０ａ，２０ｂをガラス板保持フレーム１２に保持させて前述した位置決めピン１６と位置決め孔１７とで前カバー１１とガラス板保持フレーム１２とを位置決め結合し、位置決めピン１６に図示しないナットを取り付けることで、ガラス板保持フレーム１２と前カバー１１とが相互に固定される。
【００３２】
なお、ガラス板保持フレーム１２の開閉支点とは異なる側辺部１２ａには、外方に突出したロック受け部２２が設けられており、これが前面枠３側に設けられて鍵を用いて変位可能なロック爪（図示せず）と係合され、あるいは係合が解除されることにより、パチンコ遊技機用ガラス枠１０が前面枠３に対して施錠または開錠される。
【００３３】
さて、図５に詳しく示すように、ガラス板嵌込溝２１ａ，２１ｂにおけるガラス板２０ａ，２０ｂとの接触部分は、エラストマ製で膜厚がたとえば０．０５〜０．１ｍｍ程度の被覆膜２３で被覆されている。ここで、エラストマとしては、たとえばオレフィン系熱可塑性エラストマの一種であるサントプレーン（登録商標、アドバンスト・エラストマ・システムズ社）など、天然ゴム、スチレン−ブタジエンゴム、ブタジエンゴム、クロロプレンゴム、エチレン−プロピレンゴム、イソプレンゴム、アクリロニトリル−ブタジエンゴム、イソプレン−イソブチレンゴム、イソブチレンゴム、ブチルゴム、ニトリルゴム、ハイパロン、アクリルゴム、ウレタンゴム、シリコンゴム、フッ素ゴムといったあらゆるエラストマを適用することができる。なお、膜厚は上記数値に限定されるものではなく、自由に設定することができる。
【００３４】
また、その被覆方法は、たとえばエラストマ溶液中への浸漬、スプレーや刷毛などによる塗布、射出成形などを適用することができる。
【００３５】
このような被覆膜２３を形成することにより、たとえばリーチ演出時に遊技者の興趣を高めるためにパチンコ遊技機１に設置されているスピーカ８ａ，８ｂから比較的大音量の音が流れ、あるいはホールのスピーカから大音量でアナウンスがあって、このようなスピーカの振動によりガラス板保持フレーム１２が振動しても、その振動は被覆膜２３で大幅に吸収されてガラス板２０ａ，２０ｂには直接伝わらない。したがって、スピーカの振動によりガラス板２０ａ，２０ｂとガラス板保持フレーム１２との間で発生するビビリ音を抑制することが可能になる。
【００３６】
これにより、パチンコ遊技機１から発生するガラス板２０ａ，２０ｂのビビリ音という不快な音が大幅に減少されることになり、遊技者にとっての遊技の快適感を向上させることができる。
【００３７】
なお、以上の説明においては、ガラス板保持フレーム１２に被覆膜２３を形成したが、ガラス板保持フレーム１２ではなくガラス板２０ａ，２０ｂに同様の被覆膜を形成してもよい。つまり、ガラス板２０ａ，２０ｂにおけるガラス板嵌込溝２１ａ，２１ｂとの接触部分にエラストマ製の被覆膜を被覆し、これをガラス板保持フレーム１２に嵌め込むようにしてもよい。
【００３８】
また、以上の説明においては、本発明を弾球遊技機の一つであるパチンコ遊技機に適用した場合が説明されているが、本発明はパチンコ遊技機に限定されるものではなく、たとえばスマートボールや雀球など様々な弾球遊技機に適用することが可能である。
【００３９】
【発明の効果】
以上の説明から明らかなように、本発明によれば以下の効果を奏することができる。
【００４０】
すなわち、スピーカの振動によりガラス板保持フレームが振動しても、その振動は被覆膜で大幅に吸収されてガラス板には直接伝わらないので、スピーカの振動によりガラス板とガラス板保持フレームとの間で発生するビビリ音を抑制することが可能になる。
【００４１】
これにより、弾球遊技機から発生するガラス板のビビリ音という不快な音が大幅に減少され、遊技者にとっての遊技の快適感を向上させることが可能になる。
【図面の簡単な説明】
【図１】本発明の一実施の形態であるパチンコ遊技機用ガラス枠が用いられたパチンコ遊技機を示す斜視図である。
【図２】図１のパチンコ遊技機ににおける特別図柄の変動態様の一例を示す説明図である。
【図３】本発明の一実施の形態であるパチンコ遊技機用ガラス枠を示す正面図である。
【図４】図３のパチンコ遊技機用ガラス枠の分解斜視図である。
【図５】図３のパチンコ遊技機用ガラス枠のＡ−Ａ線に沿った断面図である。
【符号の説明】
１  パチンコ遊技機（弾球遊技機）
１０  パチンコ遊技機用ガラス枠（弾球遊技機用ガラス枠）
１２  ガラス板保持フレーム
２０ａ，２０ｂ  ガラス板
２１ａ，２１ｂ  ガラス板嵌込溝
【図１】
2004283278.tif 000003
【図２】
2004283278.tif 000004
【図３】
2004283278.tif 000005
【図４】
2004283278.tif 000006
【図５】
2004283278.tif 000007